(57)【特許請求の範囲】
【請求項１】
光コネクタ接続可能な複数のアダプタ部を概ね直方体状のモジュールケースの前面部に備え、先端側に複数の単心の光コネクタを取り付けた多心光ファイバコードを前記モジュールケースの後面側から挿入して先端の光コネクタを前記アダプタ部に内側から嵌合させた、光接続箱内に配置される光モジュールであって、
前記モジュールケースは、前記アダプタのある前面部と反対側の両隅部に軸穴を有するとともに前記２つの軸穴のいずれか一方が前記光接続箱の箱体側の枢軸に回転可能に枢支されており、かつ、上面からみて概ね中央近傍に、モジュールケースの蓋面に対して垂直で後面側に開口するコード取出口を有し、このコード取出口の近傍のモジュールケース内に多心光ファイバコードを固定する固定部を有し、前記コード取出口の近傍は狭幅で後面に向かって幅広となる態様で湾曲したガイド壁面を両側に持つコードガイドを形成してなり、前記コードガイドは、前記両側のガイド壁面間に前記蓋面より低く設けられて当該コードガイドの一部として前記多心光ファイバコードを載せる機能を持つとともにモジュールケースの蓋の一部を兼ねていることを特徴とする光モジュール。
【請求項２】
前記コードガイドの両側のガイド壁面が、前記モジュールケース上面から見て前記モジュールケースの幅方向中心線を中心として対称形状をなしていることを特徴とする請求項１記載の光モジュール。
【請求項３】
請求項１又は２記載の光モジュールを用いた光接続箱であって、
導入側光ケーブルから取り出した複数の光ファイバテープ心線と一端側に複数の単心の光コネクタを取り付けた前記多心光ファイバコードの他端とを融着接続する融着接続トレイを備え、
前記多心光ファイバコードの一端側の光コネクタを前記光モジュールのモジュールケース内に収納しかつモジュールケースの前面部に設けたアダプタに内側から嵌合させ、導出側光ファイバコードの光コネクタを光モジュールのアダプタに外側から嵌合させて、前記多心光ファイバコードと導出側光ファイバコードとをコネクタ接続したことを特徴とする光接続箱。
【発明の詳細な説明】
【技術分野】
【０００１】
この発明は、光接続箱内に積層配置されて、導出側光ファイバコードの光コネクタを接続可能な光モジュール、特に、コネクタ着脱（ないし挿抜）時にその作業を容易にするために手前に回転可能にした光モジュールに関する。
【背景技術】
【０００２】
例えば図７、図８に示した光接続箱１０’のように、導入側光ケーブル（ないし外線側光ケーブル）１から取り出した複数の光ファイバテープ心線２と、図示例では４心の光ファイバテープ心線の各光ファイバ３ｂの一端側に光コネクタ３ａを取り付けた４心のＦＯ（ファンアウト）コード３の他端とを融着接続トレイ４において融着接続（融着接続部を５で示す）し、前記各ＦＯコード３の一端側の光コネクタ３ａは光モジュール６'内に収納してその前面部に設けたアダプタ７に内側から嵌合させ、一方、導出側光ファイバコード８の各光ファイバに取り付けた光コネクタ８ａを光モジュール６'のアダプタ７に外側から嵌合させて、ＦＯコード３の光コネクタ３ａと導出側光ファイバコード８の光コネクタ８ａとをコネクタ接続し、これにより、導入側光ケーブル１側の各単心光ファイバと、導出側光ケーブル（ないし装置側光ケーブル）９側の各単心光ファイバとを切替可能に接続する構造の光接続箱は、種々の用途の光接続箱として採用されている。この場合、光モジュール６’は図示のように積層して配置される。
前記導出側光ケーブル９は各導出側光ファイバコード８を集合してケーブル化したものである。１１'は光モジュール６'のケース（モジュールケース）を示す。また、光接続箱１０'の箱体を１２で示す。１２ａは箱体１２の天板、１２ｂは積層した光モジュール６'を受ける受台である。
なお、ここで光接続箱とは、光成端架、光成端箱その他名称を問わず、導入側光ケーブルの各光ファイバと導出側光ケーブルの各光ファイバとを、導出側の光ファイバに取り付けたコネクタにて接続し、このコネクタの着脱で光配線切替が可能な構造の広義の光接続箱を言う。
【０００３】
上記の光接続箱１０’において、導出側光ファイバコード８の光コネクタ８ａの挿抜（挿入・抜き取り）を行って光コネクタ８ａの接続切替（光配線の切り替え）を行う必要が生じる場合があるが、そのようなコネクタ挿抜の作業を容易にするために、図８に２点鎖線で示すように、光モジュール６'をモジュールケース１１’の片隅に設けた軸穴１１ａ'に通した枢軸１３を中心として回転可能にすることが行われている（特許文献１、特許文献２、特許文献３等）。
この種の従来の光接続箱１０’では、モジュールケース１１’から取り出すＦＯコード３の取出口２１’は、図９にも示すように、モジュールケース１１’の後面の幅方向中央部にあり、かつこの取出口２１’部分でＦＯコード３を固定している。ＦＯコード３の固定部を２２’で示す。
【特許文献１】特開2001-194536の図１（ａ）等
【特許文献２】特開2001−042133の図５等
【特許文献３】特開平10-115716の図４、図５等
【発明の開示】
【発明が解決しようとする課題】
【０００４】
光配線切替の際、光コネクタ挿抜のために光モジュール６’を手前に回転させると、図８にも示すように、ＦＯコード３に曲げが生じるが、上記従来の光モジュール６’のように、ＦＯコード３の取出口２１’がモジュールケース１１’の後面幅方向中央にあってその箇所で固定された構造では、ＦＯコード３の曲げＲを一定以上確保するために余長を長くする必要がある。このため、光配線における配線ルートの自由度が低くなり、また、光配線切替作業自体も煩雑になり、さらに、光接続箱を小型化する上での制約ともなる。
【０００５】
本発明は上記従来の欠点を解消するためになされたもので、光モジュールの後面側から取り出す光ファイバコードの曲げＲを一定以上確保するにあたって、余長を長くする必要がなく、したがって、光配線における配線ルートの自由度が高く、かつ、光配線切替作業自体が容易になり、さらに、光接続箱の小型化を図るための制約を少なくすることが可能な光モジュール及びこれを用いた光接続箱を提供すること目的とする。
【課題を解決するための手段】
【０００６】
上記課題を解決する請求項１の発明は、光コネクタ接続可能な複数のアダプタ部を概ね直方体状のモジュールケースの前面部に備え、先端側に複数の単心の光コネクタを取り付けた多心光ファイバコードを前記モジュールケースの後面側から挿入して先端の光コネクタを前記アダプタ部に内側から嵌合させた、光接続箱内に配置される光モジュールであって、
前記モジュールケースは、前記アダプタのある前面部と反対側の両隅部に軸穴を有するとともに前記２つの軸穴のいずれか一方が前記光接続箱の箱体側の枢軸に回転可能に枢支されており、かつ、上面からみて概ね中央近傍に、モジュールケースの蓋面に対して垂直で後面側に開口するコード取出口を有し、このコード取出口の近傍のモジュールケース内に多心光ファイバコードを固定する固定部を有し、前記コード取出口の近傍は狭幅で後面に向かって幅広となる態様で湾曲したガイド壁面を両側に持つコードガイドを形成してなり、前記コードガイドは、前記両側のガイド壁面間に前記蓋面より低く設けられて当該コードガイドの一部として前記多心光ファイバコードを載せる機能を持つとともにモジュールケースの蓋の一部を兼ねていることを特徴とする。
【０００７】
請求項２は、請求項１の光モジュールにおいて、コードガイドの両側のガイド壁面が、モジュールケース上面から見てモジュールケースの幅方向中心線を中心として対称形状をなしていることを特徴とする。
【０００８】
請求項３の発明の光接続箱は、請求項１又は２記載の光モジュールを用いた光接続箱であって、
導入側光ケーブルから取り出した複数の光ファイバテープ心線と一端側に複数の単心の光コネクタを取り付けた前記多心光ファイバコードの他端とを融着接続する融着接続トレイを備え、前記多心光ファイバコードの一端側の光コネクタを前記光モジュールのモジュールケース内に収納しかつモジュールケースの前面部に設けたアダプタに内側から嵌合させ、導出側光ファイバコードの光コネクタを光モジュールのアダプタに外側から嵌合させて、前記多心光ファイバコードと導出側光ファイバコードとをコネクタ接続したことを特徴とする。
【発明の効果】
【０００９】
本発明の光モジュール又は光接続箱によれば、光モジュールのコード取出口が光モジュール上面から見て概ね中央近傍にあり、かつ、このコード取出口からケース後面にかけてコードガイドが形成されており、そして、このコードガイドは、コード取出口の近傍は狭幅で後面に向かって幅広となる態様で湾曲したガイド壁面を両側に持つ構造なので、光コネクタ挿抜のために光モジュールを手前に回転させた時に生じる光ファイバコードの曲げＲは、常に一定以上確保される。
したがって、配線取り出し作業、光コネクタ接続切替作業、光接続箱内での光モジュール組み替え作業などの際に、モジュールケースから延出する光ファイバコードに無理な曲げを与える恐れが少なくなり、このため上記の各作業が容易になる。
また、光ファイバコードの曲げＲが小さくなることを特に考慮する必要がなく、かつ光ファイバコードの余長を長くする必要がないので、光接続箱内の配線ルートの自由度が高くなり、また、光接続箱内の配線密度を高くすること、あるいは光接続箱を小型化することも可能となる。
【発明を実施するための最良の形態】
【００１０】
以下、本発明を実施した光モジュール及び光接続箱について、図面を参照して説明する。
【実施例１】
【００１１】
図１は本発明の一実施例の光接続箱１０の、扉を開いた状態で示した正面図、図２は図１の光接続箱１０の、天板１２ａを除いた状態で示した要部の平面図である。光接続箱１０の箱体を１２で示す。
【００１２】
この光接続箱１０は、図３の拡大図にも示すように、光コネクタ接続可能な図示例では４つのアダプタ７を概ね直方体状のモジュールケース１４の前面部に有し当該光接続箱１０内に積層して配置される図示例では３段の光モジュール６を備えている。
この光接続箱１０は、導入側光ケーブル（ないし外線側光ケーブル）１から取り出した複数の光ファイバテープ心線２と、４心光ファイバテープ心線の各光ファイバ３ｂの一端側に光コネクタ３ａを取り付けた４心のＦＯ（ファンアウト）コード３の他端とを融着接続トレイ４において融着接続（融着接続部を５で示す）し、前記各ＦＯコード３の一端側の光コネクタ３ａは光モジュール６内に収納してその前面部のアダプタ７に内側から嵌合させ、一方、導出側光ファイバコード８の光コネクタ８ａを光モジュール６のアダプタ７に外側から嵌合させて、ＦＯコード３の光コネクタ３ａと導出側光ファイバコード８の光コネクタ８ａとをコネクタ接続し、これにより、導入側光ケーブル１側の各単心光ファイバと、導出側光ケーブル（ないし装置側光ケーブル）９側の各単心光ファイバとを切替可能に接続した構造である。なお、光モジュール６の図示例のアダプタ７は２心アダプタの片側部分である。
前記導出側光ケーブル９は各導出側光ファイバコード８を集合してケーブル化したものである。１１は光モジュール６のケース（モジュールケース）を示す。１２ｂは積層した光モジュール６を受ける受台である。
なお、図示の光接続箱１０は、小型のものとして示されているが、規模は問わず、局舎や大規模マンションのＭＤＦ（主配線盤）室に設置する光成端箱等のような大型のものにも採用される。すなわち、ここで光接続箱とは、光成端架、光成端箱その他名称を問わず、導入側光ケーブルの各光ファイバと導出側光ケーブルの各光ファイバとを、導出側の光ファイバに取り付けたコネクタにて接続し、このコネクタの着脱で光配線切替が可能な構造の広義の光接続箱を言う。
【００１３】
各光モジュール６のモジュールケース１１は、図２、図３にも示すように、上面からみて概ね中央近傍に、モジュールケース１１の蓋面に対して垂直で後面側に開口するコード取出口２１を設け、このコード取出口２１からケース後面部にかけてコードガイド２３を形成している。すなわち、このコードガイド２３は、コード取出口２１の近傍は狭幅で後面に向かって幅広となる態様で湾曲したガイド壁面２３ａを両側に持つ構造である。図示のコードガイド２３の幅方向両側の壁面２３ａは、ケース上面から見てモジュールケース１１の幅方向中心線を中心として対称形状をなしている。コード取出口２１からモジュールケース１１内に導かれたＦＯコード３は、コード取出口２１の近傍に設けたコード固定部２２で固定され、分離された各光ファイバ心線３ｂはモジュールケース内を引き回され、先端の光コネクタ３ａがアダプタ７に内側から嵌入されている。１４はモジュールケース１１の蓋である。２３ｂは同じくモジュールケース１１の蓋でもあるが、前記蓋１４の面より低く設けられてコードガイド２３の一部を形成する。
【００１４】
また、各光モジュール６のモジュールケース１１は、アダプタ７のある前面部と反対側の両隅部に軸穴１１ａ、１１ｂを有しており、その２つの軸穴１１ａ、１１ｂのいずれか一方（図示例では軸穴１１ａ）が光接続箱１０の箱体１２側の枢軸１３Ａに回転可能に枢支されている。
図３において符号１７は、光モジュール６を収納位置に係止するための係止片１７であり、モジュールケース１１のアダプタ７のある前面部の両側にそれぞれ設けられている。この両側の係止片１７は、詳細は省略するが、円形の軸に嵌合可能な半円筒状凹面１７ａを有し、光モジュール６の収納位置に対応して、いずれか一方が、箱体１２側に設けた係止用円形軸に嵌合して光モジュール６を係止することができる。
【００１５】
上記の光接続箱１０において、導出側光ファイバコード８の光コネクタ８ａの挿抜（挿入・抜き取り）を行って光コネクタ８ａの接続切替（光配線の切り替え）を行う必要が生じる場合がある。
そのようなコネクタ挿抜の作業を行う場合、図２に２点鎖線で示すように、光モジュール６をモジュールケース１１の一方の軸穴１１ａを通る垂直な枢軸１３Ａを中心として回転させて、アダプタ７のある前面部が光接続箱１０の開放面から外部に出し、この状態で導出側の光コネクタ８の各光コネクタ８ａの挿抜を行って、光コネクタ８ａの接続切替を行う。
光コネクタ接続切替作業を終えると、光モジュール６を係止解除できる程度の力を加えて逆に回転させて元の状態に戻すと、係止片１７が箱体１２側の係止用円形軸に嵌合して、収納位置に安定して保持される。以上の手順を繰り返して、必要な光モジュール６の光コネクタ接続切替を行う。
【００１６】
上記の光配線切替作業（光コネクタ接続切替作業）において、光コネクタ挿抜のために光モジュール６を手前に回転させると、図２、図５に示すように、モジュールケース１１から後方に延出しているＦＯコード３に曲げが生じるが、上記の光モジュール６では、ＦＯコード３は湾曲したガイド壁面２３ａに沿って緩やかに湾曲して後方に延出するので、ＦＯコード３の曲げＲは、常に一定以上確保される。
したがって、配線取り出し作業、光コネクタ接続切替作業、光接続箱内での光モジュール組み替え作業などの際に、モジュールケース１１から延出するＦＯコード３に無理な曲げを与える恐れが少なくなり、このため上記の各作業が容易になる。
また、ＦＯコード３の曲げＲが小さくなることを特に考慮する必要がなく、かつＦＯコード３の余長を長くする必要がないので、光接続箱１０内の配線ルートの自由度が高くなり、また、光接続箱１０内の配線密度を高くすること、あるいは光接続箱１０を小型化することも可能となる。
【実施例２】
【００１７】
上記の光モジュール６は、前記軸穴１１ａと反対側にも軸穴１１ｂを持つので、図６のような配置の使用も可能である。すなわち、この例では、光モジュール６をその左右の向きを反対にして設置する場合であり、図２の枢軸１３Ａと反対側に取り付けた枢軸１３Ｂを光モジュール６の前記反対側の軸穴１１ｂに通した場合である。
この場合は、光接続箱１０内で導入側のＦＯコード３が左側、導出側の光ファイバコー
ド８が右側にくるレイアウトである。
【図面の簡単な説明】
【００１８】
【図１】本発明の一実施例の光接続箱の、扉を開いた状態で示した正面図である。
【図２】図１の光接続箱の、天板を除いた状態で示した要部の平面図である。
【図３】図１、図２における光モジュールのみを示すもので、（イ）は平面図、（ロ）は（イ）のＡ−Ａ断面図である。
【図４】上記の光接続箱における光モジュールのみを、回転させた状態で示した斜視図である。
【図５】図４において、ＦＯコードをモジュールケースの回転軸側に寄せた状態で示した光モジュールの斜視図である。
【図６】上記の光モジュールの他の使用状態を示すもので、光モジュールの枢軸をモジュールケース幅方向の反対側に設けた場合の光接続箱の要部の平面図である。
【図７】従来の光接続箱の、扉を開いた状態で示した正面図である。
【図８】図７の光接続箱の天板を除いた状態で示した要部の平面図である。
【図９】図７における光モジュールのみを、回転させた状態で示した斜視図である。
【符号の説明】
【００１９】
１  導入側光ケーブル
２  光ファイバテープ心線
３  ＦＯ（ファンアウト）コード（光ファイバコード）
３ａ  （ＦＯコード３の先端の）光コネクタ
３ｂ  （ＦＯコード３の）光ファイバ
４    融着接続トレイ
５    融着接続部
６    光モジュール
７    アダプタ
８    導出側光ファイバコード
８ａ  （導出側光ファイバコード８に取り付けた）光コネクタ
９    導出側光ケーブル
１０  光接続箱
１１  モジュールケース
１１ａ、１１ｂ  （枢軸を通す）軸穴
１２    箱体
１２ｂ  受台
１３Ａ、１３Ｂ    枢軸
１４  （モジュールケースの）蓋
２１  コード取出口
２２  コード固定部
２３  コードガイド
２３ａ  壁面
【図１】
0004840572.tif 000002
【図２】
0004840572.tif 000003
【図３】
0004840572.tif 000004
【図４】
0004840572.tif 000005
【図５】
0004840572.tif 000006
【図６】
0004840572.tif 000007
【図７】
0004840572.tif 000008
【図８】
0004840572.tif 000009
【図９】
0004840572.tif 000010